(57)【特許請求の範囲】
【請求項１】
両外側面が曲面で構成された湾曲状のブロック本体と、該ブロック本体内部を貫通する四角形状又は円形状の断面を有する内部水路と、を備え、前記内部水路は、中間で屈折された屈折部分を有し、該屈折部分以外の内部水路は直線状に形成されてなり、かつ内部水路の中心軸方向とブロック本体の端面の垂線方向とが水平方向にずれていることを特徴とする水路構成用ブロック。
【請求項２】
内部水路の断面積が、屈折部分から開口部に向かって順次大きくなることを特徴とする請求項１に記載の水路構成用ブロック。
【請求項３】
内部水路の屈折部分の両側壁の厚さが同じ厚さであることを特徴とする請求項１または２のいずれかに記載の水路構成用ブロック。
【請求項４】
屈折部分はブロック本体の中心に位置することを特徴とする請求項１から３のいずれかに記載の水路構成用ブロック。
【請求項５】
内部水路の内壁下面は水平に形成されてなることを特徴とする請求項１から４のいずれかに記載の水路構成用ブロック。
【請求項６】
ブロック本体の上面又は／及び側面に内部水路に雨水を導入するための導水孔を備えていることを特徴とする請求項１から５のいずれかに記載の水路構成用ブロック。
【請求項７】
請求項１から６のいずれかに記載の水路構成用ブロックの内部水路形成用の中子型であって、
断面が円形又は四角形に形成されてなるとともに、先端から後端に向かって断面積が順次大きくなる筒状体からなり、
２個の筒状体の先端部側を相互に当接したときにへの字状に屈折して連設できるとともに、筒状体の中心軸の垂面に対して後端面が傾斜して設けられてなり、抜き方向が後端面の垂線方向とは異なる方向であることを特徴とする水路構成用ブロックの成型用中子型。
【請求項８】
請求項１から６のいずれかに記載の水路構成用ブロックを作製するための成型用型であって、
台枠と、曲面からなる両側枠と、筒状体の中心軸の水面に対して後端面が傾斜して設けられてなり、抜き方向が妻板の垂線方向とは異なる方向である中子型が取り付けられる前後の妻板と、該中子型を脱型するために妻板を移動させる移動手段と、を備えてなり、
前記移動手段は、抜き方向が妻板の垂線方向とは異なる方向に移動することを特徴とする成型用型。
【発明の詳細な説明】
【０００１】
【発明の属する技術分野】
本発明は、道路の脇にカーブした排水路を敷設するのに使用される水路構成用ブロック及びこの水路構成用ブロックの内部水路を作製するための中子型、成型用型に関するものである。
【０００２】
【従来の技術】
従来、カーブした排水路を構成する場合には、ブロック本体をカーブさせたＵ字型の側溝ブロックを用いていた。なぜなら、Ｕ字型の側溝ブロックは、上方が開口しているため、中子が湾曲していても開口部から上方に脱型すれば問題なく、カーブした排水溝を有する側溝ブロックを作製できるからである。
しかし、Ｕ字型の側溝ブロックは、カーブしている開口部に適合した多数の側溝の蓋を別途作製しなければならず、余分な生産コストがかかるという問題点があった。
そこで、近年、コスト削減のために、暗渠ブロックのように上面に開口部を有しない内部水路を備えた直線状の水路構成用ブロックを用いて、排水路をカーブ状に敷設している。しかし、直線状の水路構成用ブロックを強引にカーブさせて敷設した排水路は、図１３に示したように、水路構成用ブロックの連結部に角が発生することになる。しかしカーブに設けられた角部は破損しやすいという問題点があった。また、外周が多角形状に形成されるため、見栄えが悪く景観向上の妨げにもなっていた。
そこで、水路構成用ブロック自体が湾曲したブロックを作製することが求められてきた。しかしながら、内部水路の水路構成用ブロックを湾曲させて作製するためには以下のような問題点があった。すなわち、水路構成用ブロックの内部水路は、あらかじめ型枠に内部水路を形成するための中子型を設置し、この型枠に生コンクリートを注入し、硬化した後、中子型をブロックの端面側から抜き取ることによって形成している。しかし、内部水路をカーブ状に形成するには、中子型もカーブ状に作成する必要があるため、端面から中子型を脱型することができなくなるのである。
【０００３】
【発明が解決しようとする課題】
そこで、本発明は以上のような問題点を鑑みてなされたもので、内部にトンネル状の水路を有し、外形が湾曲状の水路構成用ブロックを提供することにあり、さらに、該ブロックを作製するための中子型、成型用型枠を提供することにある。
【０００４】
【課題を解決する手段】
以上のような問題を解決するために請求項１に記載された発明が採った手段は、両外側面１２ａ、１２ｂが曲面で構成された湾曲状のブロック本体１０と、該ブロック本体１０内部を貫通する四角形状又は円形状の断面を有する内部水路２０と、を備え、前記内部水路２０は、中間で屈折された屈折部と、該屈折部分以外の内部水路は直線に形成されてなり、かつ内部水路２０の中心軸方向とブロック本体１０の端面１１ａ、１１ｂの垂線方向とが水平方向にずれていることを特徴とする水路構成用ブロック１００、とするものである。
内部水路２０をへの字状に屈折して形成し、屈折部分２０ａ以外、すなわち、屈折部２０ａから開口部２０ｂにわたる内部水路２０を湾曲させることなく、直線状に形成したものである。これにより、屈折部２０ａを境に両側に直線状の内部水路２０が形成されるので、両端面１１ａ、１１ｂから中子型５０を直線状に脱型すれば内部水路２０を形成することができる。さらに、図１に示したように、内部水路２０を水路構成用ブロック１００の開口端面１１ａ、１１ｂの垂線方向βと同一方向に設けると、両側壁１３ａ、１３ｂの厚さが極端に異なる厚さになる。すなわち、外周側の側壁１３ａは薄くなるため、必要最小限の強度を確保することすらできなくなるおそれがある。そこで内部水路２０を、その中心軸αが開口端面１１ａ、１１ｂの垂線βの方向に対して水平面でずれるように設けたのである（図３参照）。
【０００５】
請求項２に記載された発明が採った手段は、内部水路２０の断面積が、屈折部分２０ａから開口部２０ｂに向かって断面積が順次大きくなることを特徴とする請求項１に記載の水路構成用ブロック１００、とするものである。これは、中子型５０が脱型し易くなるように、内部水路２０の側壁と中子型５０に抜き角度を設けたものである。これにより、脱型時の中子型５０と内部水路２０の摺動摩擦を最小限に抑えることができる。
【０００６】
請求項３に記載された発明が採った手段は、内部水路２０の屈折部分２０ａの両側壁１３ａ、１３ｂの厚さが、同じ厚さであることを特徴とする請求項１又は２のいずれかに記載の水路構成用ブロック１００、とするものである。これは、両側壁１３ａ、１３ｂの強度の差をできる限り少なくするために特に屈折部分２０ａでの厚さを同一になるように設けたものである。
【０００７】
請求項４に記載された発明が採った手段は、屈折部分２０ａはブロック本体１０の中心に位置することを特徴とする請求項１から３のいずれかに記載の水路構成用ブロック１００、とするものである。これにより、側壁１３ａ、１３ｂの位置による厚さのバラツキも最も少なくすることができる。
【０００８】
請求項５に記載された発明が採った手段は、内部水路２０の内壁下面は水平に形成されてなることを特徴とする請求項１から４のいずれかに記載の水路構成用ブロック１００、とするものである。内部水路２０は、雨水等の排水が流れることから、下面を水平に形成したものである。
【０００９】
さらに、請求項６に記載された発明が採った手段は、ブロック本体１０の上面又は／及び側面に内部水路２０に雨水を導入するための導水孔４０を備えていることを特徴とする請求項１から５のいずれかに記載の水路構成用ブロック１００、とするものである。これは道路上面から若しくは透水性舗装の内部を通ってきた雨水を内部水路２０に導くために、ブロックの上面又は側面に雨水の導入孔４１を形成したものである。
【００１０】
請求項７に記載された発明が採った手段は、請求項１から６のいずれかに記載の水路構成用ブロック１００の内部水路形成用の中子型５０であって、断面が円形又は四角形に形成されてなるとともに、先端から後端に向かって断面積が順次大きくなる筒状体５１からなり、２個の筒状体５１の小径先端部５２側が相互に当接したときに、への字状に屈折して連設できるとともに、筒状体５１の中心軸の垂面に対して後端面５３が傾斜して設けられてなり、抜き方向が後端面５１の垂線方向とは異なる方向であることを特徴とする内部水路形成用の中子型５０、とするものである。これは屈折した内部水路２０を作製するために、２個一組で使用され、互いの小径先端部５２を連設して配置したときに、当接部が屈折して形成できるようにしてある。
【００１１】
さらに、請求項８に記載された発明が採った手段は、請求項１から６のいずれかに記載の水路構成用ブロック１００を作製するための成型用型７０であって、台枠７１と、曲面からなる両側枠７２と、筒状体５１の中心軸の水面に対して後端面が傾斜して設けられてなり、抜き方向が後端面の垂線方向とは異なる方向である中子型５０が取り付けられる前後の妻板７３と、該中子型５０を脱型するために妻板７３を移動させる移動手段７４とを備えてなり、
前記移動手段は、抜き方向が妻板の垂線方向とは異なる方向に移動することを特徴とする成型用型７０、とするものである。
【００１２】
【発明の実施の形態】
本発明の水路構成用ブロックは、雨水等の排水路を敷設するための水路構成用ブロックのうち、本体ブロックがカーブ状に形成されるとともに、水路が内部水路で形成されている水路構成用ブロックである。ブロック本体は、ブロック本体同士を連結したときにカーブを描くように、外側面は曲面からなり、上面から見たときに湾曲状に形成されている。ブロック本体の湾曲形状は、必ずしも円弧である必要はなく、楕円の一部となすようなカーブでもよい。また、カーブの大きさについても特に限定するものではない。
【００１３】
ブロック本体の内部には、両端面を貫通する内部水路が形成されている。ここで、内部水路とは、原則として上面に開口部を有していないトンネル状のものを指す。ただし、雨水を導入するために上面や側面の一部に切欠が設けられていたり、孔が形成されている場合も含まれる。内部水路は、断面が四角形または円形に形成されている。また、中間部分で屈折されていて、この屈折部分以外は長手方向に直線状に形成されている。屈折部分以外を直線状に形成したのは、内部水路とほぼ同様の形状を有する中子型を開口部から脱型する場合に内部水路が湾曲していると、中子型を脱型できなくなるからである。直線に形成することにより、中子型を直線に離隔して容易に脱型でき、内部水路を形成することができる。なお、内部水路の断面の大きさは特に限定するものではない。また、円形とは、楕円を含むものであり、四角形とは、正方形、長方形のほか台形等全ての四角形を含むものである。また、全体に四角形状であれば角が多少丸みを帯びているものであっても構わない。
【００１４】
さらに、内部水路は、内部水路の断面積が屈折部分で最小になるように、かつ端面の開口部の断面積が最大となるように傾斜、すなわち抜き角を設けてもよい。傾斜を設けることで中子型を脱型するときに、生じる内部水路の内壁と中子型の表面との摩擦抵抗を極力抑えることができる。すなわち、脱型初期においては、中子型と円形水路の内壁は接触しているため、摩擦抵抗の軽減はほとんど得られないものの、傾斜して設けておけば、内部水路の内壁と中子型の表面とが互いに接触することなく摩擦抵抗をゼロにすることができる。なお、内部水路の上下左右すべての内面に傾斜を設ける必要はない。例えば、四角形断面において上面のみを傾斜させても構わない。より好ましくは、内部水路の上面及び両側面に傾斜を設けて形成し、下面は水平面となるように形成するとよい。なぜなら、雨水等の排水を一定に流すために底面は水平に形成されていることが望ましいからである。
【００１５】
内部水路は、内部水路の中心軸と該内部水路の開口部の端面に対する垂線方向とがずれるように形成する。通常直線状の暗渠ブロック等においては、内部水路の中心軸の方向と端面の垂線の方向は一致するように形成されている。なぜなら、中子型を脱型する場合、端面に垂直に脱型した方が抜き易いし、抜き方向が容易にわかるからである。しかし、本発明の水路構成用ブロックは、ブロック本体が湾曲しているので端面の垂線に合わせて内部水路を設けると、図１に示したように、内部水路が一方の側壁側に偏り、両側壁の厚さに大きな差が生じてしまい、両側壁の強度に大きなムラができてしまう。そこで、内部水路の位置、方向を自在に調整するために、あえて、内部水路をその長手方向の中心軸の方向とブロック本体の端面の垂線方向とをずらして形成したのである。
これにより、湾曲したブロック本体であっても直線状に内部水路を形成することができるようになるのである。この場合において、屈折部の両側壁の厚さが同じ厚さとなるように、内部水路を設けることが望ましい。さらに、屈折部をブロック本体の中心に形成すれば、側壁の厚さの変化を最小限に抑えることができ、側壁の位置による強度の変化を少なくすることができる。
【００１６】
なお、道路上若しくは透水性舗装内部を流れてきた雨水を内部水路に導くためにブロック本体の上面又は側面に導水孔を設けるとよい。この導入孔の形状、大きさ、形成される範囲等は特に限定するものではない。
【００１７】
以上のような水路構成用ブロックは、以下のような中子型及び成型用型を用いて作製される。中子型は、断面が円形又は四角形の筒状に形成されており、内部水路の傾斜と同様に、先端が細く後端が太くなるように側壁は傾斜して形成されている。なお、側壁の傾斜角度は自在に決定することができる。好ましくは、脱型作業に支障を及ぼさない程度において、限りなく緩い勾配を設けることにより、内部水路の断面積の変化を最小に抑えることができる。また、勾配はすべての面に設ける必要はなく、一部の面に設けても良い。この中子型は、２個一組で使用されるものであり、２個の先端（小径端部）をそれぞれ当接させると、当接部分において屈折したヘの字状に形成される。すなわち、中子型の先端は中心軸の垂面に対して、斜めに切り欠いた状態に形成されている。
【００１８】
一方、成形用型は、台枠と、水路構成用ブロックの曲面を形成するために曲面を有した側枠と、水路構成用ブロックの前後の端面に配置される妻板と、該妻板を移動させる移動手段とからなる。側枠は、作製する水路構成用ブロックの曲面に合わせて曲面状をなしており、両側に可倒できるように形成されている。妻板は、ブロック端面側に配置されブロック端面を形成するためにブロック端面と同じ角度に配置される。また、中子型を取り付けることができるように形成されている。妻板は、内部水路を形成するために移動手段に連結されていて、中子型を脱型するため直線に移動可能に設けられている。したがって、内部水路をブロック端面の垂線方向に対してずらして形成する場合は、妻板の垂直方向とは異なる方向に移動できるように設ける必要がある。
【００１９】
【実施例】
さて、以下に本発明の最適と思われる実施例を図に沿って説明する。
（実施例１）
図２は、本発明の実施例１における水路構成用ブロック１００の斜視図を、図３は、平面図を示す。実施例１の水路構成用ブロック１００は、ブロック本体１０とこのブロック本体１０の内部に貫通する内部水路２０とからなる。
ブロック本体１０は、外側面１２ａ、１２ｂが曲面をなし、上方から見たときに弧状に形成されている。このブロック本体１０は、円周を描くように連結することができる。ブロック本体１０の上面には、凸状部１４が設けられていて、水路構成用ブロック１００を敷設した際に歩道と車道との間の境界となる。
ブロック本体１０の内部には、断面四角形の内部水路２０が両端面１１ａ、１１ｂを貫通するように設けられている。内部水路２０は、への字状となるよう中心で屈折されており、屈折部分２０ａの両側は、長手方向に直線に形成されている。この内部水路２０は、屈折部分２０ａの両側壁１３ａ、１３ｂの厚さが同一になるように、内部水路２０の中心軸αの方向と端面１１ａの垂線βの方向とが一定角度（θ）ずらして形成されている。
内部水路２０の内面は、内下面は水平に形成されているが、内側面及び内上面は、屈折部分２０ａから開口部２０ｂに向かって断面積が大きくなるように傾斜している。したがって、内部水路２０の断面積は中心にいくほど狭くなる。なお、図では、説明の便宜及び理解の容易のため、大きく傾斜して描かれているが、中子型が脱型できる程度の傾斜があればよい。したがって、現実には脱型方向に対して３°程度の抜き角が設けられる。
【００２０】
以上の水路構成用ブロック１００は、以下のようにして作製される。この実施例１の水路構成用ブロック１００を作製する成型用型７０が図４に示されている。成形用型７０は、台枠７１と側枠７２と妻板７３と該妻板７３を移動させる移動手段７４とからなる。
両側枠７２は、水路構成用ブロック１００の側面１２ａ、１２ｂと同様の曲面状に形成されていて、側方に可倒できるように下端部を回動自在に取り付けてある。妻板７３は、端面１１ａ、１１ｂを形成するとともに、中子型５０が取り付けられて内部水路２０を形成するためのものである。したがって、妻板は、側枠の前後に配置され、中子型５０を脱型するために端面１１ａ、１１ｂから離隔する移動手段７４に連結されている。移動手段７４は、移動可能なキャスター７５と移動方向を決めるレール７６とからなり、このレール７６上を移動することにより、妻板７３を端面１１ａ、１１ｂから離隔し中子型を脱型することができる。
【００２１】
妻板７３に取り付けられる中子型５０は、図５に示すように、断面が略四角形で、内部が中空の筒状体５１に形成されている。中子型５０は、水路構成用ブロック１００の内部水路２０を形成するものであり、先端部５２を２個連結して使用される。図６に示すように、先端部５２同士を屈折して当接できるように先端部５２が斜めに形成されている。また、脱型しやすくするために先端部５２は小径に、後端は大径に形成される。一方、後端面５３も中子型５０の筒状体５１の中心軸αの垂面に対して傾斜して設けられている。水路構成用ブロック１００の端面１１ａ、１１ｂは、内部水路２０の中心軸の垂面に対して傾斜して形成されているからそれに合わせて形成されているものである。したがって、この中子型５０は、筒状体５１の中心軸の垂面に対して先端面も後端面も傾斜して（角度をもって）設けられていることになる。後端面５３には、妻板７３に取り付けるフランジが設けられている。
【００２２】
このように作製された中子型５０を妻板７３に固定した後、両側の側枠７２と前後妻板７３を締めて成形型枠を作製した後、コンクリートを注入する。そしてコンクリートが固化した後に、両側枠７２を開き、前後妻板７３を移動手段７４により離隔して中子型５０を脱型する。このときに、図７に示したように、妻板７３の垂線方向βとは異なる方向（内部通路の中心軸α）に抜く必要がある。したがって、移動手段７４は抜き方向に合わせて適宜設計する必要がある。こうして中子型５０を脱型した部分が内部水路２０を形成して水路構成用ブロック１００が完成する。
【００２３】
このようにして完成した水路構成用ブロック１００は、図８に示すように歩道と車道の境界に湾曲状に敷設して使用される。このように湾曲形成された水路構成用ブロック１００は、上面に開口部を有することなく、しかも円周面をスムーズに形成することができる。したがって、角が発生することもないので、角に損傷が発生することもない。また、見栄えもよくなる。
【００２４】
（実施例２）
実施例２における水路構成用ブロック１００が図９に示されている。これは、内部水路２０に雨水を導くことができるように、上面及び側壁に鉄板に孔を設けた導水板４０を取付け、導水孔４１を形成したものである。それ以外は、実施例１と同様に作製される。これにより、舗装路上面を流れてきた雨水、又は透水性舗装路の舗装路内を流れてきた雨水を、道路構成用ブロック１００内の内部水路２０に効率よく導くことができる。
【００２５】
（実施例３）
実施例３における水路構成用ブロックが図１０に示されている。これは、内部水路２０を断面を円形に形成したものである。これは、使用される中子型５０を図１１に示すように断面が円形のものを使用することにより作製される。それ以外については、実施例１と同様に作製される。
【００２６】
【発明の効果】
本発明の水路構成用ブロックは、上面から見たときにカーブ状に形成されているブロック本体からなるので、連結して敷設することにより、角がない湾曲した排水路を容易に敷設することができる。
したがって、きれいな周面を描いた見栄えのよい排水路とすることができて、景観向上を図ることができる。しかも上面に開口部を有していないので、側溝の蓋を別途作成する必要もなく、全体としての敷設コストを削減することができる。
【００２７】
また本発明の水路構成用ブロックは、内部水路が屈折形成されている部分以外直線に形成されているため、ヘの字状に形成される２個一組とした中子型を用いることにより、容易に作製することができる。
このときに、内部水路の中心軸と端面に対する垂線方向とをずらして内部水路形成することにより、内部水路の位置、方向を自在に調整することができるようになる。したがって、屈折部分の両側壁の厚さが同じ厚さとなるように形成することもできる。また、屈折部分をブロック本体の中心に形成すれば、側壁の厚さの変化を最小限に抑えることができ、側壁の位置による強度の変化を少なくすることができる。
【図面の簡単な説明】
【図１】    水路構成用ブロックの中心軸と端面垂線の方向を同じ方向に内部水路を形成した場合の模式図である。
【図２】    実施例１に係る水路構成用ブロックの一部透視斜視図である。
【図３】    実施例１に係る水路構成用ブロックの一部透視平面図である。
【図４】    実施例１に係る水路構成用ブロックを作製する成形型を示す斜視図である。
【図５】    実施例１に係る水路構成用ブロックを作製する中子型を示す斜視図である。
【図６】    実施例１に係る水路構成用ブロックを作製する中子型の先端の結合状態を示す斜視図である。
【図７】    実施例１に係る水路構成用ブロックを作製する中子型を脱型する方向を示す平面図である。
【図８】    実施例１に係る水路構成用ブロックの使用状態を示す斜視図である。
【図９】    実施例２に係る水路構成用ブロックの一部透視斜視図である。
【図１０】  実施例３に係る水路構成用ブロックの一部透視斜視図である。
【図１１】  実施例３に係る水路構成用ブロックを作製する中子型を示す斜視図である。
【図１２】  従来の湾曲状水路を形成するブロックを示す斜視図である。
【図１３】  従来の暗渠ブロックを用いて湾曲水路を作製した状態を示す斜視図である。
【符号の説明】
１０              本体ブロック
１１ａ、１１ｂ    端面
１２ａ、１２ｂ    外側面
１３ａ、１３ｂ    側壁
１４              凸状部
２０              内部水路
２０ａ            屈折部
４０              導水板
４１              導水孔
５０              中子型
５１              筒状体
５２              先端部
５３              後端部
７０              成型用型
７１              台枠
７２              側枠
７３              妻板
７４              移動装置
１００            水路構成用ブロック
【図１】
0003650835.tif 000002
【図２】
0003650835.tif 000003
【図３】
0003650835.tif 000004
【図４】
0003650835.tif 000005
【図５】
0003650835.tif 000006
【図６】
0003650835.tif 000007
【図７】
0003650835.tif 000008
【図８】
0003650835.tif 000009
【図９】
0003650835.tif 000010
【図１０】
0003650835.tif 000011
【図１１】
0003650835.tif 000012
【図１２】
0003650835.tif 000013
【図１３】
0003650835.tif 000014